(57)【要約】【目的】  遺体の首などの遺体の保存のために重要な部分を重点的に冷却しながら同時に遺体の全体を満遍なく冷却することができる遺体収容冷却装置を提供する。【構成】  開口部を有する棺桶と、遺体の首に対向する部分に複数の空気流通用の穴が形成されており、遺体の首の左右に対向する部分に空気流通用の開口部又は切り欠き部が形成されており、遺体の足先又はその周辺に対向する部分に空気流通用の開口部又は切り欠き部が形成されている支持板と、前記棺桶の開口部に対向する部分にそれぞれ開口部が形成されている棺桶台と、前記棺桶台の中に収容されたダクトであって、前記送風機構により前記棺桶から棺桶台内に取り込まれた空気を、それが前記棺桶内に送られる前に、自らの内部を流通させることにより冷却するためのダクトと、前記ダクトの空気流通路を形成する内壁面側を冷却するための冷却装置とを備えた遺体収容冷却装置である。【選択図】    図１
2005118118.tif 000002
【特許請求の範囲】
【請求項１】
遺体を収容するための棺桶であって、その底板に、遺体の首又はその周辺に対向する首側開口部と、遺体の足先又はその周辺に対向する足側開口部とが形成されている棺桶と、
前記棺桶の底板の上に配置され且つその上に遺体を載置するための支持板であって、遺体の首に対向する部分に複数の空気流通用の穴が形成されており、遺体の首の左右に対向する部分に空気流通用の開口部又は切り欠き部が形成されており、遺体の足先又はその周辺に対向する部分に空気流通用の開口部又は切り欠き部が形成されている支持板と、
前記棺桶の下方に配置される棺桶台であって、前記棺桶の首側開口部と足側開口部に対向する部分にそれぞれ開口部が形成されている棺桶台と、
前記棺桶台の中に配置された送風機構であって、前記棺桶内の空気を前記棺桶台の内部に取り込んで、この取り込んだ空気を前記棺桶の内部に送るための送風機構と、
前記棺桶台の中に収容されたダクトであって、前記送風機構により前記棺桶から棺桶台内に取り込まれた空気を、それが前記棺桶内に送られる前に、自らの内部を流通させることにより冷却するためのダクトと、
前記ダクトの空気流通路を形成する内壁面側を冷却するための冷却装置と、
を備えたことを特徴とする遺体収容冷却装置。
【請求項２】
請求項１において、前記支持板の下面に、前記支持板の下面と棺桶の底板との間に所定の隙間を介在させると共に、前記棺桶台から前記隙間に導入された空気が前記支持板の下側中央部に移動するのを阻止して前記空気を前記支持板の複数の穴、開口部又は切り欠き部の方に誘導するための複数の脚部が備えられている、ことを特徴とする遺体収容冷却装置。
【請求項３】
請求項１において、前記ダクトは、その内部の空気流通路が前記棺桶台の前記棺桶の首側開口部に対向する開口部の下方に対向するように、配置されており、且つ、前記ダクトの下方には、前記棺桶台内の空気を前記棺桶の首側開口部に送るためのファンが配置されている、ことを特徴とする遺体収容冷却装置。
【請求項４】
請求項１において、前記ダクトの内壁面側を冷却するための冷却装置は、前記ダクトに内蔵された複数の熱電素子により構成されており、前記複数の熱電素子は、それぞれ、その冷却部又はこれと接続された冷却フィンが前記ダクトの内壁面側に露出されていると共に、その発熱部又はこれと接続された放熱フィンが前記ダクトの外壁面側に露出されている、ことを特徴とする遺体収容冷却装置。
【請求項５】
請求項１において、前記冷却装置は、ノンフロンの冷媒を使用した冷凍装置により構成されている、ことを特徴とする遺体収容冷却装置。
【発明の詳細な説明】
【技術分野】
【０００１】
本発明は、遺体を棺桶に収容しながら冷却することができる遺体収容冷却装置に関する。
【背景技術】
【０００２】
従来より、棺桶内に収容した遺体を腐敗しないように保存するために、棺桶内を冷却するための装置が提案されている。例えば、特許文献１は図５に示すような棺桶冷却装置を提案している。この特許文献１の棺桶冷却装置は、図５に示すように、棺桶２２の底部に排気口２８と吸気口２７を形成し、冷風装置２４を、棺桶台２３に取り付けられた排気管３５及び吸気管３４を介して、排気口２８と吸気口２７とにそれぞれ接続して成るものである。この図５の装置では、前記冷風装置２４からの冷風を吸気管３４と吸気口２７を介して棺桶２２内に導入して、棺桶２２内を冷却するようにしている。なお、３７は吸気管３４の途中に備えられた凝縮器である。
【０００３】
しかしながら、前記の特許文献１などに示す従来の棺桶冷却装置においては、単に、棺桶の内部を全体として冷却するだけなので、例えば遺体の首などの遺体の保存のために重要な部分を重点的に冷却することはできないので、遺体の保存のための効率的な冷却ができないという問題がある。
【０００４】
また、前記の図５の棺桶冷却装置においては、棺桶２２の底部に形成した小径の排気口２８及び吸気口２７と小径の排気管３５及び吸気管３４とを接続する必要があるが、小径の排気口２８及び吸気口２７と小径の排気管３５及び吸気管３４との位置合わせ作業が難しく、棺桶内の冷却のための現場の作業が煩雑化してしまうと、という問題がある。
【特許文献１】特開２００１−６１９１１号公報
【発明の開示】
【発明が解決しようとする課題】
【０００５】
本発明は、遺体の首などの遺体の保存のために重要な部分を重点的に冷却しながら同時に遺体の全体を満遍なく冷却することができ、さらに、棺桶内部の冷却のための現場の作業を簡素化することができる、遺体収容冷却装置を提供することを目的とする。
【課題を解決するための手段】
【０００６】
本発明による遺体収容冷却装置は、遺体を収容するための棺桶であって、その底板に、遺体の首又はその周辺に対向する首側開口部と、遺体の足先又はその周辺に対向する足側開口部とが形成されている棺桶と、前記棺桶の底板の上に配置され且つその上に遺体を載置するための支持板であって、遺体の首に対向する部分に複数の空気流通用の穴が形成されており、遺体の首の左右に対向する部分に空気流通用の開口部又は切り欠き部が形成されており、遺体の足先又はその周辺に対向する部分に空気流通用の開口部又は切り欠き部が形成されている支持板と、前記棺桶の下方に配置される棺桶台であって、前記棺桶の首側開口部と足側開口部に対向する部分にそれぞれ開口部が形成されている棺桶台と、前記棺桶台の中に配置された送風機構であって、前記棺桶内の空気を棺桶台の内部に取り込んで、この取り込んだ空気を前記棺桶の内部に送るための送風機構と、前記棺桶台の中に収容されたダクトであって、前記送風機構により前記棺桶から棺桶台内に取り込まれた空気を、それが前記棺桶内に送られる前に、自らの内部を流通させることにより冷却するためのダクトと、前記ダクトの空気流通路を形成する内壁面側を冷却するための冷却装置と、を備えたことを特徴とするものである。
【０００７】
また、本発明の遺体収容冷却装置においては、前記支持板の下面に、前記支持板の下面と棺桶の底板との間に所定の隙間を介在させると共に、前記棺桶台から前記隙間に導入された空気が支持板の下側中央部に移動するのを阻止して、前記空気を前記支持板の複数の穴、開口部又は切り欠き部の方に誘導するための複数の脚部が備えられている、ことが望ましい。
【０００８】
また、本発明の遺体収容冷却装置においては、前記ダクトは、その内部の空気流通路が前記棺桶台の前記棺桶の首側開口部に対向する開口部の下方に対向するように、配置されており、且つ、前記ダクトの下方には、前記棺桶台内の空気を前記棺桶の首側開口部に送るためのファンが配置されていることが望ましい。
【０００９】
また、本発明の遺体収容冷却装置において、前記ダクトを冷却するための冷却装置は、前記ダクトに内蔵された複数の熱電素子により構成されており、前記複数の熱電素子は、それぞれ、その冷却部又はこれと接続された冷却フィンが前記ダクトの空気流通路を形成する内壁面側に露出されていると共に、その発熱部又はこれと接続された放熱フィンが前記ダクトの外壁面側に露出されている、ことが望ましい。
【００１０】
さらに、本発明の遺体収容冷却装置において、前記冷却装置は、ノンフロンの冷媒を使用した冷凍装置により構成されていることが望ましい。
【発明の効果】
【００１１】
本発明においては、ダクトにより冷却された空気を、棺桶台の開口部、棺桶の首側開口部、及び支持板の複数の穴を介して、遺体の首に向けて集中的に供給するようにしているので、遺体の冷却保存のために重要な遺体の首の部分を重点的に冷却することができる。また、本発明では、棺桶台から棺桶に送られる冷却空気が、前記支持板の遺体の首の部分に対向する複数の穴を通過するだけでなく、前記支持板の前記複数の穴の左右の開口部又は切り欠き部をも通過して、前記棺桶内の上方に送られて、遺体の全体を冷却する。したがって、本発明によれば、遺体の首などの遺体の保存のために重要な部分を重点的に冷却すると同時に遺体を全体として冷却することができる。
【００１２】
特に、本発明においては、前記支持板の脚部により、前記遺体が載せられる支持板の下面と棺桶の底板との間に、所定の隙間を介在させるようにしている。そして、本発明では、前記棺桶台から前記棺桶の開口部を介して前記隙間の中に導入された冷却空気は、前記支持板の遺体の首の部分に対向する複数の穴を通過するだけでなく、前記支持板の前記複数の穴の左右の開口部又は切り欠き部をも通過する。そして、前記支持板の開口部又は切り欠き部を通過した冷却空気は、前記棺桶内の上方に送られて、遺体の全体を満遍なく冷却する。したがって、本発明によれば、遺体の首などの遺体の保存のために重要な部分を重点的に冷却すると同時に遺体を全体として満遍なく冷却することができる。
【００１３】
また、本発明においては、棺桶の底部と支持板と棺桶台とにそれぞれ比較的大きな開口部又は切り欠き部を形成して、それらを互いに対向させて空気の流通・循環路を形成するようにしているので、「従来の棺桶冷却装置において必要とされていた小径の排気口及び吸気口と小径の排気管及び吸気管との位置合わせのための煩雑な作業」が不要になり、棺桶内の冷却のための現場の作業を大幅に簡素化することができる。
【００１４】
また、本発明において、前記のダクトの空気流通路を形成する内壁面側を冷却するための冷却装置をダクトに内蔵させた複数の熱電素子により構成するようにしたときは、棺桶台の内部に収容する空気の冷却装置を小型化・低消費電力化することができる。
【００１５】
さらに、本発明において、前記のダクトの空気流通路を形成する内壁面側を冷却するための冷却装置をノンフロンの冷媒を使用した冷凍装置により構成するようにしたときは、遺体の火葬処理による地球環境への悪影響を有効に抑制することができる。
【発明を実施するための最良の形態】
【００１６】
本発明を実施するための最良の形態は、以下の実施例１について述べるような形態である。
【実施例１】
【００１７】
図１は本発明の実施例１の全体構成を説明するための分解斜視図、図２は本実施例１の支持板の構成を説明するための平面図、図３は本実施例１のダクトの構成を説明するための図、図４は本実施例１の動作を示す側断面図である。
【００１８】
図１及び図２において、１は棺桶、２は前記棺桶１の底板の上に配置する支持板、３は前記棺桶１を支持するための棺桶台、である。
【００１９】
前記棺桶１の蓋板には、遺体の顔を上方から視認可能にするための透明窓１ａが備えられている。また、前記棺桶１の底板には、遺体の首及びその左右の空間に対向する首側開口部１ｂと、遺体の足先及びその左右の空間に対向する足側開口部１ｃとが形成されている。
【００２０】
また、前記支持板２の遺体の首に対向する部分には、複数の（例えば６個の）小さな穴２ａが形成されている。また前記支持板２の遺体の首の左右の空間に対向する部分（前記支持板２の前記穴２ａが形成された部分の遺体から見て左側及び右側の部分）には、それぞれ、空気を流通させるための切り欠き部２ｂが形成されている。また、前記支持板２の遺体の足先の左右の空間と対向する部分には、それぞれ、空気を流通させるための切り欠き部２ｄが形成されている。
【００２１】
また、前記支持板２の前記切り欠き部２ｂの図示右側の端部には、その端部から図示左上方向に斜めに延びる傾斜板２ｃが取り付けられている。この傾斜板２ｃは、図１の下方から前記切り欠き部２ｂを介して上昇する空気の流れを、図示左方向（遺体の胴体の方向）へ向かう流れへと誘導するためのものである。
【００２２】
また、前記支持板２の下面には、支持板２の下面と棺桶１の底板の上面との間に所定の隙間（図４の符号２ｉ参照）を形成するための脚部２ｅ，２ｆ，２ｈが設けられている。これらの脚部２ｅ，２ｆ，２ｈの中で、前記脚部２ｅは、前記棺桶台３内から前記隙間２ｉ（図４参照）に導入された空気が前記支持板２の下側中央部分に移動するのを阻止して、前記空気を前記複数の穴２ａ及び切り欠き部２ｂに送る役目をも果たしている。また、前記脚部２ｅ，２ｆ，２ｈの中で、前記脚部２ｆは、前記棺桶１内の上方から前記隙間２ｉ（図４参照）に導入された空気が前記支持板２の下側中央部分に移動するのを阻止して、前記空気を前記切り欠き部２ｄに送る役目をも果たしている。
【００２３】
また、前記棺桶台３の上板には、前記棺桶１の首側開口部１ｂと前記支持板２の複数の穴２ａ及び切り欠き部２ｂとに対向する開口部３ａが形成されている。また、前記棺桶台３の上板には、前記棺桶１の足側開口部１ｃと前記支持板２の切り欠き部２ｄとに対向する開口部３ｂが形成されている。
【００２４】
また、前記棺桶台３の内部には、詳細は後述するが、複数の熱電素子から成る冷却装置が取り付けられたダクト４が備えられている。前記ダクト４は、その中の空気流通路４ａが前記開口部３ａと対向するように配置されている。また、図１には図示していないが、前記棺桶台３の内部には、前記ダクト４を通過した空気を棺桶１内に供給すると共に、棺桶１内の空気を棺桶台３の内部に導入するための複数のファンから成る送風機構が備えられている。
【００２５】
次に、図３は前記ダクト４の構成を説明するための図で、図３（ａ）はダクトの斜視図、図３（ｂ）はその平断面図である。図３において、４は例えばプラスチック製のダクトである。このダクト４は、図に示すように、平面が略正方形の空気流通路４ａを形成している。この空気流通路４ａを形成するダクト４の内壁面の一辺の長さは、例えば約１５−２０ｃｍである（本発明では、少なくとも約１０ｃｍ以上であることが望ましい）。
【００２６】
また、図３において、５はこのダクト４の側板の複数箇所にそれぞれ内蔵された熱電素子である。前記熱電素子５は、直流電力を通電すると、ペルチェ効果によって、その冷却部が吸熱し（冷却作用）、その発熱部が熱を放散する。前記熱電素子５は、その冷却部が前記ダクト４の内側の空気流通路４ａの内壁面側に露出されており、その発熱部が前記ダクト４の外壁面側に露出されている。また、前記熱電素子５の冷却部には、アルミニウムなどの熱良導体材料から成る冷却フィン６が取り付けられている。また、前記熱電素子５の発熱部には、アルミニウムなどの熱良導体材料から成る放熱フィン７が取り付けられている。
【００２７】
次に、図４に基づいて、本実施例１による遺体収容冷却装置の動作を説明する。図４は本実施例１の縦断面図である。図４において、１０は遺体、１１，１２はファンである。本実施例１では、前記ダクト４は、その内部の空気流通路４ａが前記開口部３ａと連続するように、その上面が棺桶台３の上板と連結されている。
【００２８】
本実施例１を使用するときは、遺体１０を棺桶１に収容した後、本実施例１の装置の電源を入れて、前記熱電素子５に通電すると共に、ファン１１，１２を駆動させる。すると、前記熱電素子５の冷却部が冷却作用を発揮して前記冷却フィン６を冷却する。これと同時に、ファン１１が棺桶台３内の空気を前記ダクト４の空気流通路４ａの中にその下方から送り込む。この送り込まれた空気は、前記ダクト４の空気流通路４ａの中で、その内壁面側の前記冷却フィン６と接触して冷却させられる。
【００２９】
この冷却された空気は、さらに、前記ファン１１により、前記棺桶台３の開口部３ａから前記棺桶１の首側開口部１ｂを経て、前記棺桶１内に導入される。前記棺桶１内に導入された冷却空気は、まず、前記棺桶１の底板の上面と前記支持板２の下面との間の隙間２ｉ（この隙間２ｉは、前記脚部２ｅ，２ｆ，２ｈにより形成される）の中に導入され、さらに、前記支持板２の複数の穴２ａを通過し、遺体１０の首及びその周辺に送られて、遺体１０の首を重点的に冷却する。また、前記隙間２ｉの中に導入された冷却空気は、前記支持板２の複数の穴２ａを通過するだけでなく、前記支持板２の切り欠き部２ｂ（図１及び図２参照）をも通過して、前記棺桶１内の上方に送られる。前記支持板２の前記切り欠き部２ｂを通過して上昇した空気は、図１の傾斜板２ｃにより、その移動方向が遺体１０の胴体方向（図４の左方向）に変換される。このようにして前記棺桶１内の遺体１０の胴体方向に送られた冷却空気は、遺体１０の全体を満遍なく緩やかに冷却する。
【００３０】
なお、前記棺桶台３内から前記隙間２ｉの中に導入された冷却空気は、前記支持板２の脚部２ｅにより、支持板２の下側中央部に移動することが阻止され、その大部分が前記穴２ａ又は前記切り欠き部２ｂを通過して棺桶１内の上方に移動する。
【００３１】
前記棺桶１内に導入され遺体１０の冷却のために使用された空気（遺体１０との熱交換により暖められた空気）は、前記ファン１２により、前記支持板２の切り欠き部２ｄ（図１及び図２参照）、前記棺桶１の底板の足側開口部１ｃ、及び前記棺桶台３の開口部３ｂを経て、前記棺桶台３の内部に導入される。
【００３２】
前記棺桶台３内に導入された空気は、再び、前記ファン１１によりダクト４の空気流通路４ａ内に導かれて冷却され、以後、同様の動作が繰り返される。
【００３３】
以上のように、本実施例１では、前記ダクト４により冷却された空気が、前記支持板２の複数の穴２ａを介して遺体１０の首に集中的に供給されるので、遺体１０の首が重点的に冷却される。遺体１０の首を冷却すると、その首の内部の気道や食道が狭まるため、遺体１０の内蔵から発生する腐敗臭を含むガスが遺体１０の首を通って外部に出ることが防止されるようになる。このように、本実施例１では、遺体１０の首を重点的に冷却することができるので、遺体１０の内蔵からの腐敗臭を含むガスの流出を効果的に防止することができる。
【００３４】
また、本実施例１では、前記支持板２の脚部２ｅ，２ｆ，２ｈにより、前記遺体１０が載せられる支持板２と棺桶１の底板との間に、所定の隙間２ｉを介在させるようにしている。この隙間２ｉの存在により、前記の棺桶台３から棺桶１に送られた冷却空気は、遺体１０の首の部分に対向する複数の穴２ａを通過するだけでなく、前記支持板２の前記穴２ａの左右の切り欠き部２ｂ（図１及び図２参照）をも通過する。前記切り欠き部２ｂを通過した冷却空気は、棺桶１内の上方に送られて、遺体１０全体を満遍なく冷却する。よって、本実施例１では、遺体１０の首を集中的に冷却すると同時に、遺体１０の全体を満遍なく冷却することができる。
【００３５】
また、本実施例１では、前記ダクト４の空気流通路４ａを流れる空気を冷却するための冷却装置を前記ダクト４に内蔵した複数の熱電素子５により構成するようにしたので、冷却装置とダクト４との全体を小型化・低消費電力化することができる。
【００３６】
以上、本発明の実施例１について説明したが、本発明はこれに限られるものではなく、様々な変更が可能である。例えば、上記の実施例１では、ダクト４の空気流通路４ａを形成する内壁面側を冷却するための冷却装置を複数の熱電素子５により構成するようにしているが、本発明では、これに代えて、前記複数の熱電素子の代わりに、例えば、炭化水素類、塩化エチル、フレオン等のノンフロンの冷媒、圧縮器、及び凝縮器等を使用した冷凍装置を採用するようにしてもよい。
【図面の簡単な説明】
【００３７】
【図１】本発明の実施例１による遺体収容冷却装置の全体構成を示す分解斜視図。
【図２】本実施例１の支持板を示す平面図。
【図３】（ａ）は本実施例１のダクトを示す斜視図、（ｂ）はその平断面図。
【図４】本実施例１の動作を説明するための縦断面図。
【図５】従来の棺桶冷却装置を示す図。
【符号の説明】
【００３８】
１          棺桶
１ａ      透明窓
１ｂ      首側開口部
１ｃ      足側開口部
２          支持板
２ａ      穴
２ｂ，２ｄ         切り欠き部
２ｃ      傾斜板
２ｅ，２ｆ，２ｈ           脚部
２ｉ      隙間
３          棺桶台
３ａ，３ｂ         開口部
４          ダクト
４ａ      空気流通路
５          熱電素子
６          冷却フィン
７          放熱フィン
１０      遺体
１１，１２         ファン
【図１】
2005118118.tif 000003
【図２】
2005118118.tif 000004
【図３】
2005118118.tif 000005
【図４】
2005118118.tif 000006
【図５】
2005118118.tif 000007
【手続補正書】
【提出日】平成15年10月16日(2003.10.16)
【手続補正１】
【補正対象書類名】図面
【補正対象項目名】全図
【補正方法】変更
【補正の内容】
【図１】
2005118118.tif 000008
【図２】
2005118118.tif 000009
【図３】
2005118118.tif 000010
【図４】
2005118118.tif 000011
【図５】
2005118118.tif 000012